(57)【特許請求の範囲】
【請求項１】
平面視略方形のベース部とこのベース部に垂設された水平断面略コの字形の門柱支持部とからなる台座と、該台座を被装する下方に開いた箱状のカバーと、から構成される門柱支持構造であって、上記カバーの上面には、上記門柱支持部に支持された門柱が挿通する挿通孔が設けられるとともに、上記ベース部の一対の相対する２辺の各々中央部の一部を立ち上がらせてカバー固定部とし、このカバー固定部に上記カバーの側板がビスにより固定されるとともに、上記カバーの側板にはビスが挿通する１以上の長孔が設けられているとともに、上記カバー固定部には、ビス孔が螺設されていることを特徴とする門柱支持構造。
【発明の詳細な説明】
【０００１】
【発明の属する技術分野】
本発明は、門柱を立設するための構造に関する。さらに詳しくは、たとえば、コンクリート下地の上に門柱を立設するための門柱支持構造に関する。
【０００２】
【従来の技術】
戸建住宅の門や、マンションのポーチ等に門扉を取り付ける場合、通常、下地はコンクリートとされているため、この下地に固定された門柱に門扉が取り付けられる。このとき、門柱は、コンクリート下地に直接、埋め込まれるか、コンクリート下地に埋め込んだ埋め込みボルトに台座を固定し、この固定した台座を介して立設されるのが一般的である。
【０００３】
図６に、公知の門柱支持構造の一例を分解斜視図により示す。図６において、台座２はベース部２１と、門柱支持部２２からなり、門柱５は、門柱固定手段３により門柱支持部２２に固定される。台座２は、アンカーボルト４１と、アンカーボルト用ナット４２からなる台座固定手段４によってコンクリート下地に固定される。上記のように構成された台座２は、コンクリート下地に穿たれた穴に埋め込んで固定されるか、または、コンクリート下地上に固定される。
【０００４】
図７は、コンクリート下地Ｇに穴を穿ち、アンカーボルト４１およびアンカーボルト用ナット４２によってコンクリート下地Ｇに固定された台座２を介して門柱５を立設した状態を示す側面図である。図８は、台座２を傾斜したコンクリート下地Ｇの上に設置した状態を示す側面図である。図８からよくわかるように、ベース部２１とコンクリート下地Ｇの間には、ライナーＬが挟まれており、このライナーＬにより、ベース部２１の水平レベルが保たれている。
【０００５】
【発明が解決しようとする課題】
図７に示すように門柱支持構造２を、コンクリート下地Ｇに穿たれた穴に埋め込んで固定する場合、施工する前にドリル等で穴を穿ち、施工後にモルタルＭで埋め込むという手間を必要とし、また、モルタルが固まるまで垂直レベルを保つ必要がある。さらに、一旦、モルタルが固まった後は、垂直レベルの調整ができないという問題もある。他方、図８に示す門柱支持構造２をコンクリート下地Ｇ上に直接固定する施工方法においては、ベース部２１や、台座固定手段４の上部等が露出しているため、外見上好ましくない。また、コンクリート下地Ｇが傾斜しているので、水平レベル調整用のライナーＬをベース部２１の下に挟み込む必要があり、このとき、ベース部２１とコンクリート下地Ｇの間に隙間が生じ、やはり、デザイン性が悪くなるという問題がある。本発明は、上記問題を解決して、コンクリート下地Ｇに穴を穿つことなく、門柱を立設することができるとともに、デザイン性に優れた門柱支持構造を提供することをその課題とする。
【０００６】
【課題を解決するための手段】
本発明は、上記課題を解決するために考え出されたものであって、つぎのような技術的手段を講じている。すなわち、本発明によれば、平面視略方形のベース部とこのベース部に垂設された水平断面略コの字形の門柱支持部とからなる台座と、該台座を被装する下方に開いた箱状のカバーと、から構成される門柱支持構造であって、上記カバーの上面には、上記門柱支持部に支持された門柱が挿通する挿通孔が設けられるとともに、上記ベース部の一対の相対する２辺の各々中央部の一部を立ち上がらせてカバー固定部とし、このカバー固定部に上記カバーの側板がビスにより固定されるとともに、上記カバーの側板にはビスが挿通する１以上の長孔が設けられているとともに、上記カバー固定部には、ビス孔が螺設されていることを特徴とする門柱支持構造が提供される。このようにすることによって、たとえば、コンクリート下地等に穴を穿つことなく、門柱を立設することができるとともに、デザイン性に優れた門柱支持構造を得ることができる。
【０００７】
さらに、上記カバーの側板にはビスが挿通する１以上の長孔が設けられているとともに、上記カバー固定部には、ビス孔が螺設されていることにより、たとえば、コンクリート下地が左右あるいは前後に傾斜している場合でも、ライナー等の傾斜調整手段をベース部とコンクリート下地の間に挟み、台座の水平レベルを出したうえ、ビスが挿通する１以上の長孔の位置を上下に移動、調節して、コンクリート下地の傾斜に沿って上記カバーを設置することができる。その結果、ベース部や、台座固定手段の上部等が露出せず、カバーで覆われるため、すっきりとした外観を得ることができる。
【０００８】
また、上記ベース部の一対の相対する２辺の各々中央部の一部を立ち上げてカバー固定部とし、このカバー固定部に上記カバーの側板をビスにより固定することが好ましい。このようにすることにより、ビスを締め付け、あるいは緩めることにより、上記カバーを簡単に取り付け、取外しをすることができる。
【０００９】
【発明の実施の形態】
以下、本発明の好ましい実施の形態について、図面を参照してより詳細に説明する。図１は本発明にかかる、門柱支持構造Ａの分解斜視図である。図１からよくわかるように門柱支持構造Ａは、台座２と、この台座２を被装するためのカバー１からなり、台座２はベース部２１とこのベース部２１に垂設された水平断面略コの字形の門柱支持部２２から構成される。カバー１の上面には、上記門柱支持部２２に支持された門柱５が挿通する門柱挿通孔１１が設けられており、カバー１の側板１３には、２つの長孔１４が穿たれている。ビス１２は、これら長孔１４を挿通し、カバー１を上記ベース部２１の側面に設けたカバー固定部２１１にビス留め、固定する。符号２１２は、カバー固定部２１１に設けられたビス孔である。
【００１０】
一方、門柱５は、門柱固定手段３によって門柱支持部２２に固定され、このようにして門柱５が取り付けられた台座２は、ベース部２１をアンカーボルト４１と、アンカーボルト用ナット４２からなる台座固定手段４によって、コンクリート下地にしっかりと固定される。なお、符号５１および符号２２１は、門柱固定手段３が挿通する挿通孔であり、通常、挿通孔２２１には雌ネジか切られている。図２は、図１に示す門柱支持構造Ａを用いて、門柱５をコンクリート下地Ｇに設置した状態を示す斜視図である。図２より、門柱５が、カバー１によって覆われた台座２からすっきりと、デザイン性よく立設されていることが明らかである。
【００１１】
図３は、図２のＸ−Ｘ線に沿う側断面図である。図３における場合は、門柱をほぼ水平なコンクリート下地Ｇ上に設置した場合を示したが、もし、コンクリート下地Ｇが左右に傾斜している場合、ライナー等の傾斜調整手段をベース部２１とコンクリート下地Ｇの間に挟み、水平レベルを出すことができる。図４に、コンクリート下地Ｇが向かって左に傾斜している場合において、本発明の門柱支持構造Ａを適用した状態を、図３と同様、図２のＸ−Ｘ線に沿う側断面図により示す。図４からよくわかるように、カバー１の側板１３に設けられた長孔１４中のビス１２の挿通位置を上下に移動させ、左側の側板１３ａを下げて、右側の側板１３ｂを上げ、ベース部２１と傾斜したコンクリート下地Ｇ面の間にライナーＬを挟み込んで固定することにより、傾斜したコンクリート下地Ｇ面に門柱支持構造Ａを適用できる。このとき、視線はかなり上方からとなるので、カバー１の傾斜は実質的に無視できる。
【００１２】
図５は、コンクリート下地Ｇが前後に傾斜している場合の本発明の適用例を示し、ライナーＬをベース部２１とコンクリート下地Ｇの間に挟み、水平レベルを出す状態を説明する説明図である。図５において、図面の左側を手前とし、前下がりとした場合、ビス１２が、カバー１の同一側板１３に設けられた２つの長孔１４を挿通する位置を図５に示すように移動、調節することにより、コンクリート下地Ｇ面に門柱支持構造Ａを適用したものである。上記と逆に、前上がりの場合は、ライナーＬを、ベース部２１の後ろ側とコンクリート下地Ｇの間に挟み、水平レベルを出して、ビス１２が、２つの長孔１４を挿通する位置を図５とは逆に移動、調節することにより、コンクリート下地Ｇに門柱支持構造Ａを適用できる。このとき、視線はかなり上方からとなるので、カバー１の傾斜は実質的に無視できる。
【００１３】
【発明の効果】
以上述べたように、請求項１に記載の発明は、平面視略方形のベース部とこのベース部に垂設された水平断面略コの字形の門柱支持部とからなる台座と、該台座を被装する下方に開いた箱状のカバーと、から構成される門柱支持構造であって、上記カバーの上面には、上記門柱支持部に支持された門柱が挿通する挿通孔が設けられていることを特徴とする門柱支持構造である。このようにすることによって、たとえば、コンクリート下地等に穴を穿つことなく、門柱を立設することができるとともに、デザイン性に優れた門柱支持構造を得ることができる。
【００１４】
また、上記カバーの側板にはビスが挿通する１以上の長孔が設けられているとともに、上記カバー固定部には、ビス孔が螺設されている。このようにすることにより、さらに、たとえば、コンクリート下地が左右あるいは前後に傾斜している場合でも、ライナー等の傾斜調整手段をベース部とコンクリート下地の間に挟み、台座の水平レベルを出したうえ、ビスが挿通する１以上の長孔の位置を上下に移動、調節して、コンクリート下地の傾斜に沿って上記カバーを設置することができる。その結果、ベース部や、台座固定手段の上部等が露出せず、カバーで覆われるため、すっきりとした外観を得ることができる。
【００１５】
また、上記ベース部の一対の相対する２辺の各々中央部の一部を立ち上がらせてカバー固定部とし、このカバー固定部に上記カバーの側板がビスにより固定される。このようにすることによって、請求項１に記載の発明の効果に加え、ビスを締め付け、あるいは緩めることにより、上記カバーを簡単に取り付け、取外しをすることができる。
【図面の簡単な説明】
【図１】本発明にかかる、門柱支持構造の分解斜視図である。
【図２】本発明の門柱支持構造を用いて、門柱をコンクリート下地に設置した状態を示す斜視図である。
【図３】図２のＸ−Ｘ線に沿う側断面図である。
【図４】本発明の門柱支持構造を傾斜したコンクリート下地に設置した一形態であって、図２のＸ−Ｘ線に沿う側断面図である。
【図５】本発明の門柱支持構造を傾斜したコンクリート下地に設置した他の形態を説明する説明図である。
【図６】公知の門柱支持構造の一例を示す分解斜視図である。
【図７】公知の門柱支持構造により門柱を立設した一形態を示す側面図である。
【図８】公知の門柱支持構造により門柱を立設した他の形態を示す側面図である。
【符号の説明】
１        カバー
１１      門柱挿通孔
１２      ビス
１３      カバー側板
１３ａ    カバー側板（左）
１３ｂ    カバー側板（右）
１４      長孔
２        台座
２１      ベース部
２１１    カバー固定部
２１２    ビス孔
２２      門柱支持部
２２１    挿通孔
３        門柱固定手段
４        台座固定手段
４１      アンカーボルト
４２      アンカーボルト用ナット
５        門柱
５１      挿通孔
Ａ        門柱支持構造
Ｌ        ライナー
Ｍ        モルタル
Ｇ        コンクリート下地
【図１】
0003671918.tif 000002
【図２】
0003671918.tif 000003
【図３】
0003671918.tif 000004
【図４】
0003671918.tif 000005
【図５】
0003671918.tif 000006
【図６】
0003671918.tif 000007
【図７】
0003671918.tif 000008
【図８】
0003671918.tif 000009